(57)【要約】【課題】メッセージおよびコメントの視認性を向上させるとともに、メッセージおよびコメントの時系列の順番の視認性を向上させること。【解決手段】プログラムは、プロセッサ部１３０によって実行されると、メッセージ通信システム１０が導入されている組織の所定のグループの外部からメッセージを受信することと、受信されたメッセージに少なくとも１つのコメントを関連付けることであって、少なくとも１つのコメントのそれぞれは、その所定のグループに所属するユーザによってのみ参照可能である、ことと、受信されたメッセージに対する応答メッセージをその所定のグループの外部に送信することと、受信されたメッセージと応答メッセージとが第１の列に表示されると共に、第１の列とは異なる第２の列に少なくとも１つのコメントが表示されるように、端末装置３００を制御することとを含む処理をプロセッサ部１３０に行わせる。【選択図】図３
2017090990.tif 000002
【特許請求の範囲】
【請求項１】
メッセージを通信するメッセージ通信システムにおいて実行されるプログラムであって、前記メッセージ通信システムは、プロセッサ部を含むメッセージサーバ装置と、前記メッセージ通信システムの内部のネットワークを介して接続された端末装置とを含み、前記メッセージ通信システムは、所定のグループを含む組織に導入され、前記プログラムは、前記プロセッサ部によって実行されると、
前記所定のグループの外部からメッセージを受信することと、
前記受信されたメッセージに少なくとも１つのコメントを関連付けることであって、前記少なくとも１つのコメントのそれぞれは、前記所定のグループに所属するユーザによってのみ参照可能である、ことと、
前記受信されたメッセージに対する応答メッセージを前記所定のグループの外部に送信することと、
前記受信されたメッセージと前記応答メッセージとが第１の列に表示されると共に、前記第１の列とは異なる第２の列に前記少なくとも１つのコメントが表示されるように、前記端末装置を制御することと
を含む処理を前記プロセッサ部に行わせる、プログラム。
【請求項２】
前記受信されたメッセージおよび前記少なくとも１つのコメントおよび前記応答メッセージのそれぞれは、時系列の順番を示すように表示される、請求項１に記載のプログラム。
【請求項３】
前記処理は、
前記少なくとも１つのコメントのうちの１つに少なくとも１つの更なるコメントを関連付けることであって、前記少なくとも１つの更なるコメントのそれぞれは、その更なるコメントを書き込んだユーザによってのみ参照可能である、ことと、
前記第２の列とは異なる第３の列に前記少なくとも１つの更なるコメントが表示されるように、前記端末装置を制御することと
をさらに含む、請求項１または請求項２に記載のプログラム。
【請求項４】
前記受信されたメッセージは、受信された第１のメッセージであり、前記少なくとも１つのコメントは、少なくとも１つの第１のコメントであり、前記応答メッセージは、第１の応答メッセージであり、
前記メッセージ通信システムは、前記所定のグループの外部から受信された複数のメッセージを少なくとも１つのスレッドに分類することが可能であるように構成されており、
前記処理は、
前記所定のグループの外部から第２のメッセージを受信することであって、前記受信された第１のメッセージと前記受信された第２のメッセージとは、同一のスレッドに分類されるメッセージである、ことと、
前記受信された第２のメッセージに少なくとも１つの第２のコメントを関連付けることであって、前記少なくとも１つの第２のコメントのそれぞれは、前記所定のグループに所属するユーザによってのみ参照可能である、ことと、
前記受信された第２のメッセージに対する第２の応答メッセージを前記所定のグループの外部に送信することと、
前記受信された第１のメッセージと前記第１の応答メッセージと前記受信された第２のメッセージと前記第２の応答メッセージとが前記第１の列に表示されると共に、前記第２の列に前記少なくとも１つの第１のコメントと前記少なくとも１つの第２のコメントとが表示されるように、前記端末装置を制御することと
をさらに含む、請求項１〜３のうちのいずれか一項に記載のプログラム。
【請求項５】
前記受信された第１のメッセージおよび前記少なくとも１つの第１のコメントおよび前記第１の応答メッセージおよび前記受信された第２のメッセージおよび前記少なくとも１つの第２のコメントおよび前記第２の応答メッセージのそれぞれは、時系列の順番を示すように表示される、請求項４に記載のプログラム。
【請求項６】
メッセージを通信するメッセージ通信システムにおいて実行される方法であって、前記メッセージ通信システムは、プロセッサ部を含むメッセージサーバ装置と、前記メッセージ通信システムの内部のネットワークを介して接続された端末装置とを含み、前記メッセージ通信システムは、所定のグループを含む組織に導入され、前記方法は、
前記プロセッサ部が、前記所定のグループの外部からメッセージを受信することと、
前記プロセッサ部が、前記受信されたメッセージに少なくとも１つのコメントを関連付けることであって、前記少なくとも１つのコメントのそれぞれは、前記所定のグループに所属するユーザによってのみ参照可能である、ことと、
前記プロセッサ部が、前記受信されたメッセージに対する応答メッセージを所定のグループの外部に送信することと、
前記プロセッサ部が、前記受信されたメッセージと前記応答メッセージとが第１の列に表示されると共に、前記第１の列とは異なる第２の列に前記少なくとも１つのコメントが表示されるように、前記端末装置を制御することと
を含む、方法。
【請求項７】
メッセージを通信するメッセージ通信システムであって、前記メッセージ通信システムは、所定のグループを含む組織に導入され、前記メッセージ通信システムは、
前記所定のグループの外部からメッセージを受信する手段と、
前記受信されたメッセージに少なくとも１つのコメントを関連付ける手段であって、前記少なくとも１つのコメントのそれぞれは、前記所定のグループに所属するユーザによってのみ参照可能である、手段と、
前記受信されたメッセージに対する応答メッセージを前記所定のグループの外部に送信する手段と、
前記受信されたメッセージと前記応答メッセージとを第１の列に表示すると共に、前記第１の列とは異なる第２の列に前記少なくとも１つのコメントを表示する手段と
を備えたメッセージ通信システム。
【発明の詳細な説明】
【技術分野】
【０００１】
本発明は、メッセージ通信システムおよびそのシステムにおいて実行される方法およびプログラムに関する。
【背景技術】
【０００２】
従来のメールシステムにおいて、受信されたメールにコメントを付与する技術が知られている（非特許文献１）。
【先行技術文献】
【非特許文献】
【０００３】
【非特許文献１】サイボウズ株式会社、サイボウズメールワイズ４マニュアル、［online］、２００９年、サイボウズ株式会社、［２０１５年９月２７日検索］、インターネット〈http://manual.cybozu.co.jp/mailwise4〉
【発明の概要】
【発明が解決しようとする課題】
【０００４】
本発明は、メッセージおよびコメントの視認性を向上させるとともに、メッセージおよびコメントの時系列の順番の視認性を向上させることが可能なメッセージ通信システムおよびそのシステムにおいて実行される方法およびプログラムを提供することを目的とする。
【課題を解決するための手段】
【０００５】
本発明のプログラムは、メッセージを通信するメッセージ通信システムにおいて実行されるプログラムであって、前記メッセージ通信システムは、プロセッサ部を含むメッセージサーバ装置と、前記メッセージ通信システムの内部のネットワークを介して接続された端末装置とを含み、前記メッセージ通信システムは、所定のグループを含む組織に導入され、前記プログラムは、前記プロセッサ部によって実行されると、前記所定のグループの外部からメッセージを受信することと、前記受信されたメッセージに少なくとも１つのコメントを関連付けることであって、前記少なくとも１つのコメントのそれぞれは、前記所定のグループに所属するユーザによってのみ参照可能である、ことと、前記受信されたメッセージに対する応答メッセージを前記所定のグループの外部に送信することと、前記受信されたメッセージと前記応答メッセージとが第１の列に表示されると共に、前記第１の列とは異なる第２の列に前記少なくとも１つのコメントが表示されるように、前記端末装置を制御することと
を含む処理を前記プロセッサ部に行わせる。
【０００６】
本発明の１つの実施形態では、前記受信されたメッセージおよび前記少なくとも１つのコメントおよび前記応答メッセージのそれぞれは、時系列の順番を示すように表示される。
【０００７】
本発明の１つの実施形態では、前記処理は、前記少なくとも１つのコメントのうちの１つに少なくとも１つの更なるコメントを関連付けることであって、前記少なくとも１つの更なるコメントのそれぞれは、その更なるコメントを書き込んだユーザによってのみ参照可能である、ことと、前記第２の列とは異なる第３の列に前記少なくとも１つの更なるコメントが表示されるように、前記端末装置を制御することとをさらに含む。
【０００８】
本発明の１つの実施形態では、前記受信されたメッセージは、受信された第１のメッセージであり、前記少なくとも１つのコメントは、少なくとも１つの第１のコメントであり、前記応答メッセージは、第１の応答メッセージであり、前記メッセージ通信システムは、前記所定のグループの外部から受信された複数のメッセージを少なくとも１つのスレッドに分類することが可能であるように構成されており、前記処理は、前記所定のグループの外部から第２のメッセージを受信することであって、前記受信された第１のメッセージと前記受信された第２のメッセージとは、同一のスレッドに分類されるメッセージである、ことと、前記受信された第２のメッセージに少なくとも１つの第２のコメントを関連付けることであって、前記少なくとも１つの第２のコメントのそれぞれは、前記所定のグループに所属するユーザによってのみ参照可能である、ことと、前記受信された第２のメッセージに対する第２の応答メッセージを前記所定のグループの外部に送信することと、前記受信された第１のメッセージと前記第１の応答メッセージと前記受信された第２のメッセージと前記第２の応答メッセージとが前記第１の列に表示されると共に、前記第２の列に前記少なくとも１つの第１のコメントと前記少なくとも１つの第２のコメントとが表示されるように、前記端末装置を制御することとをさらに含む。
【０００９】
本発明の１つの実施形態では、前記受信された第１のメッセージおよび前記少なくとも１つの第１のコメントおよび前記第１の応答メッセージおよび前記受信された第２のメッセージおよび前記少なくとも１つの第２のコメントおよび前記第２の応答メッセージのそれぞれは、時系列の順番を示すように表示される。
【００１０】
本発明の方法は、メッセージを通信するメッセージ通信システムにおいて実行される方法であって、前記メッセージ通信システムは、プロセッサ部を含むメッセージサーバ装置と、前記メッセージ通信システムの内部のネットワークを介して接続された端末装置とを含み、前記メッセージ通信システムは、所定のグループを含む組織に導入され、前記方法は、前記プロセッサ部が、前記所定のグループの外部からメッセージを受信することと、前記プロセッサ部が、前記受信されたメッセージに少なくとも１つのコメントを関連付けることであって、前記少なくとも１つのコメントのそれぞれは、前記所定のグループに所属するユーザによってのみ参照可能である、ことと、前記プロセッサ部が、前記受信されたメッセージに対する応答メッセージを所定のグループの外部に送信することと、前記プロセッサ部が、前記受信されたメッセージと前記応答メッセージとが第１の列に表示されると共に、前記第１の列とは異なる第２の列に前記少なくとも１つのコメントが表示されるように、前記端末装置を制御することとを含む。
【００１１】
本発明のメッセージ通信システムは、メッセージを通信するメッセージ通信システムであって、前記メッセージ通信システムは、所定のグループを含む組織に導入され、前記メッセージ通信システムは、前記所定のグループの外部からメッセージを受信する手段と、前記受信されたメッセージに少なくとも１つのコメントを関連付ける手段であって、前記少なくとも１つのコメントのそれぞれは、前記所定のグループに所属するユーザによってのみ参照可能である、手段と、前記受信されたメッセージに対する応答メッセージを前記所定のグループの外部に送信する手段と、前記受信されたメッセージと前記応答メッセージとを第１の列に表示すると共に、前記第１の列とは異なる第２の列に前記少なくとも１つのコメントを表示する手段とを備えている。
【発明の効果】
【００１２】
本発明によれば、メッセージおよびコメントの視認性を向上させるとともに、メッセージおよびコメントの時系列の順番の視認性を向上させることが可能なメッセージ通信システムおよびそのシステムにおいて実行される方法およびプログラムを提供することが可能である。
【図面の簡単な説明】
【００１３】
【図１】メッセージ通信システム１０の構成の一例を示す図
【図２】メッセージサーバ装置１００の構成の一例を示す図
【図３】メッセージサーバ装置１００内で実行される処理の一例を示す図
【図４Ａ】端末装置３００に表示される画面４１０の一例を示す図
【図４Ｂ】端末装置３００に表示されるウインドウ４２０の一例を示す図
【図４Ｃ】端末装置３００に表示される画面４３０の一例を示す図
【図４Ｄ】端末装置３００に表示される画面４４０の一例を示す図
【図４Ｅ】端末装置３００に表示される画面４５０の一例を示す図
【図４Ｆ】端末装置３００に表示される画面４６０の一例を示す図
【図４Ｇ】端末装置３００に表示される画面４７０の一例を示す図
【図５Ａ】図４Ｂに示されるウインドウ４２０を代替するための入力フレーム５２０の一例を示す図
【図５Ｂ】図４Ｃに示される画面４３０における「メッセージ（１）」、「コメント（１）」の代替的な配置の一例を示す図
【図５Ｃ】図４Ｇに示される画面４７０の代替的な画面４７０’の一例を示す図
【図６】端末装置３００に表示される画面６２０の一例を示す図
【図７Ａ】端末装置３００に表示される画面７１０の一例を示す図
【図７Ｂ】端末装置３００に表示される画面７２０の一例を示す図
【図８Ａ】端末装置３００に表示される画面８１０の一例を示す図
【図８Ｂ】端末装置３００に表示される画面８１０の一例を示す図
【発明を実施するための形態】
【００１４】
以下、図面を参照しながら、本発明の実施の形態を説明する。
【００１５】
１．メッセージ通信システムの構成
図１は、メッセージ通信システム１０の構成の一例を示す。
【００１６】
メッセージ通信システム１０は、インターネット２０を介して、少なくとも１つの端末装置３０に接続することが可能なように構成されている。端末装置３０は、インターネット２０を介してメッセージ通信システム１０と通信することが可能な任意の端末装置であり得る。端末装置３０は、例えば、スマートフォンであってもよいし、タブレット型の端末装置であってもよいし、パーソナルコンピュータであってもよい。端末装置３０は、インターネット２０を介してメッセージをメッセージ通信システム１０に送信し、インターネット２０を介してメッセージ通信システム１０からメッセージを受信するように構成されている。言い換えると、メッセージ通信システム１０は、インターネット２０を介して端末装置３０からメッセージを受信し、インターネット２０を介してメッセージを端末装置３０に送信するように構成されている。
【００１７】
本願明細書では、「メッセージ」とは、メールやチャットなどの任意のコミュニケーションツールによって通信される内容を有するものをいうと定義する。メッセージの内容は、テキスト、画像（静止画または動画）、音声のうちの少なくとも１つを含むことが可能である。
【００１８】
メッセージ通信システム１０は、メッセージサーバ装置１００と、イントラネット２００を介してメッセージサーバ装置１００に接続された少なくとも１つの端末装置３００とを含む。
【００１９】
メッセージサーバ装置１００は、メッセージの通信を実行する。メッセージサーバ装置１００は、メッセージの通信を実行するためのプログラムが予め組み込まれた専用のコンピュータであってもよい。あるいは、メッセージサーバ装置１００は、汎用のコンピュータであってもよい。この場合には、メッセージの通信を実行するためのプログラムを汎用のコンピュータ内にインストールすることによって、汎用のコンピュータをメッセージサーバ装置１００として動作させることが可能になる。
【００２０】
イントラネット２００は、メッセージ通信システム１０の内部のネットワークである限り、任意のネットワークであり得る。
【００２１】
端末装置３００は、イントラネット２００を介して他の端末装置３００と通信することが可能な任意の端末装置であり得る。また、端末装置３００は、イントラネット２００、メッセージサーバ装置１００、インターネット２０を介して端末装置３０と通信することが可能な任意の端末装置であり得る。端末装置３００は、例えば、スマートフォンであってもよいし、タブレット型の端末装置であってもよいし、パーソナルコンピュータであってもよい。
【００２２】
図２は、メッセージサーバ装置１００の構成の一例を示す。
【００２３】
メッセージサーバ装置１００は、通信制御部１１０と、通信制御部１２０と、プロセッサ部１３０と、メモリ部１４０と、メッセージ記憶部１５０と、コメント記憶部１６０とを含む。これらの構成要素は、バス１９０を介して接続されている。
【００２４】
通信制御部１１０は、少なくとも１つの端末装置３０とのメッセージの通信を制御する。
【００２５】
通信制御部１２０は、少なくとも１つの通信端末３００とのメッセージの通信を制御する。
【００２６】
プロセッサ部１３０は、メッセージサーバ装置１００の全体の動作を制御する。
【００２７】
メモリ部１４０には、メッセージの通信を実行するためのプログラムやそのプログラムの実行に必要とされるデータ等が格納されている。
【００２８】
メッセージ記憶部１５０は、メッセージ通信システム１０の外部にある端末装置３０とメッセージ通信システム１０との間で送受信されるメッセージを記憶する。また、メッセージ記憶部１５０は、メッセージ通信システム１０の内部にある端末装置３００同士の間で送受信されるメッセージを記憶する。
【００２９】
コメント記憶部１６０は、メッセージごとに、そのメッセージに関連付けられた少なくとも１つのコメントを記憶する。なお、メッセージ記憶部１５０とコメント記憶部１６０とを１つの記憶部として構成するようにしてもよい。
【００３０】
本願明細書では、「コメント」とは、メッセージ通信システム１０の内部においてのみ参照可能な内容を有するものをいうと定義する。従って、コメントは、メッセージ通信システム１０のユーザ同士が受信されたメッセージについての情報を共有したり、メッセージを受信したユーザがその受信されたメッセージについて他のユーザに連絡したりするために用いられる。あるいは、コメントは、自分専用のメモとして用いられる。コメントの内容は、テキスト、画像（静止画または動画）、音声のうちの少なくとも１つを含むことが可能である。
【００３１】
なお、図２に示されるメッセージサーバ装置１００のそれぞれの構成要素は、単一のハードウェア部品で構成されていてもよいし、複数のハードウェア部品で構成されていてもよい。メッセージサーバ装置１００の構成は、特定のハードウェア構成には限定されない。
【００３２】
また、図１に示される実施の形態では、メッセージ通信システム１０と少なくとも１つの端末装置３０とは、インターネット２０を介して接続されることが可能であるとしたが、本発明はこれに限定されない。インターネット２０の代わりに任意のタイプのネットワークを用いることも可能である。
【００３３】
２．メッセージ通信システムにおける処理
図３は、メッセージサーバ装置１００内で実行される処理の一例を示す。この処理は、プログラムの形式で表現されている。このようなプログラムは、メッセージサーバ装置１００内のメモリ部１４０に格納されている。ここで、プログラムをどのようにしてメモリ部１４０に格納するかは問わない。例えば、プログラムは、メモリ部１４０にプリインストールされていてもよい。あるいは、プログラムは、インターネット２０などのネットワークを介してダウンロードされることによってメモリ部１４０にインストールされるようにしてもよいし、光ディスクやＵＳＢなどの記憶媒体を介してメモリ部１４０にインストールされるようにしてもよい。プロセッサ部１３０は、メモリ部１４０に格納されているプログラムを読み出し、そのプログラムを実行する。以下、図３に示される処理の各ステップを詳しく説明する。
【００３４】
ステップＳ１０：メッセージ通信システム１０の外部からメッセージが受信される。例えば、そのメッセージは、端末装置３０によって送信されたものである。そのメッセージの宛先がメッセージ通信システム１０の内部のユーザである場合には、そのメッセージは、インターネット２０を介してメッセージ通信システム１０に届けられる。プロセッサ部１３０は、通信制御部１１０を介してそのメッセージを受信し、受信されたメッセージをメッセージ記憶部１５０に記憶する。さらに、プロセッサ部１３０は、イントラネット２００を介して、そのメッセージの宛先のユーザに割り当てられている端末装置３００にメッセージが受信された旨を通知する。
【００３５】
ステップＳ２０：受信されたメッセージが端末装置３００に表示される。例えば、プロセッサ部１３０は、受信されたメッセージがイントラネット２００を介して端末装置３００に表示されるように端末装置３００を制御する。
【００３６】
ステップＳ３０：受信されたメッセージに対してコメントが入力されたか否かが判定される。例えば、メッセージを受信したユーザ（すなわち、メッセージ通信システム１０の内部のユーザ）は、受信されたメッセージに対してコメントを入力することが可能である。このコメントは、自分自身の備忘録としてのメモであってもよいし、メッセージ通信システム１０の内部の他のユーザに対する連絡であってもよい。ユーザによってコメントが入力された場合には、処理はステップＳ４０に進む。ユーザによってコメントが入力されなかった場合には、処理はステップＳ６０に進む。
【００３７】
ステップＳ４０：受信されたメッセージにコメントが関連付けられる。例えば、プロセッサ部１３０は、ユーザによって入力されたコメントを受信し、メッセージ記憶部１５０に記憶されたメッセージに関連付けた状態でそのコメントをコメント記憶部１６０に記憶する。ただし、メッセージとコメントとの関連付けの態様はこれに限定されない。メッセージとコメントとは任意の態様で関連付けられることが可能である。
【００３８】
ステップＳ５０：受信されたメッセージに関連付けられた態様でコメントが端末装置３００に表示される。例えば、プロセッサ部１３０は、コメントがイントラネット２００を介して端末装置３００に表示されるように端末装置３００を制御する。なお、ユーザによって入力されたコメントが他のユーザに宛てたものである場合には、プロセッサ部１３０は、他のユーザに割り当てられている端末装置３００にコメントが入力された旨を通知する。
【００３９】
ステップＳ６０：受信されたメッセージに対する応答メッセージを送信するための送信ボタンがユーザによって選択されたか否かが判定される。例えば、メッセージを受信したユーザは、コメントを参照しつつ、受信されたメッセージに対する応答メッセージを入力することが可能である。応答メッセージは、受信されたメッセージに関連付けられる。例えば、プロセッサ部１３０は、ユーザによって入力された応答メッセージを受信し、メッセージ記憶部１５０に記憶されたメッセージに関連付けた状態でその応答メッセージをメッセージ記憶部１５０に記憶する。ただし、受信されたメッセージと応答メッセージとの関連付けの態様はこれに限定されない。受信されたメッセージと応答メッセージとは任意の態様で関連付けられることが可能である。このようにして、受信されたメッセージと少なくとも１つのコメントと応答メッセージとが相互に関連付けられることになる。送信ボタンがユーザによって選択された場合には、処理はステップＳ７０に進む。送信ボタンがユーザによって選択されない場合には、処理はステップＳ３０に戻る。
【００４０】
ステップＳ７０：応答メッセージが送信される。例えば、その応答メッセージの宛先がメッセージ通信システム１０の外部のユーザである場合には、その応答メッセージは、インターネット２０を介してその応答メッセージの宛先のユーザに割り当てられている端末装置３０に届けられる。
【００４１】
ステップＳ８０：送信された応答メッセージが端末装置３００に表示される。例えば、プロセッサ部１３０は、送信された応答メッセージがイントラネット２００を介して端末装置３００に表示されるように端末装置３００を制御する。
【００４２】
３．メッセージ通信システムにおける画面遷移
図４Ａは、端末装置３００に表示される画面４１０の一例を示す。画面４１０は、図３のステップＳ２０において表示される画面の一例である。画面４１０は、例えば、メッセージを受信したユーザがメッセージ受信一覧から受信されたメッセージを選択したことに応答して表示される。画面４１０には、受信されたメッセージである「メッセージ（１）」が表示される。さらに、画面４１０には、メッセージ追加ボタン４１１とコメント追加ボタン４１２とが表示される。
【００４３】
図４Ｂは、端末装置３００に表示されるウインドウ４２０の一例を示す。ウインドウ４２０は、図４Ａに示される画面４１０においてユーザがコメント追加ボタン４１２を選択したことに応答してポップアップ表示される。ウインドウ４２０は、ユーザがコメントを入力することができるように設計されている。なお、ウインドウ４２０は、コメントを入力することに加えて、ＴｏＤｏや添付ファイルや何らかのステータス情報（例えば、処理未や処理済などのステータスを示す情報）を入力することが可能なように設計されていてもよい。図４Ｂに示される例では、ウインドウ４２０は、宛先を入力するための領域４２２とコメントを入力するための領域４２３と保存ボタン４２４とキャンセルボタン４２５とを含む。宛先を入力するための領域４２２は、メッセージ通信システム１０の内部の他のユーザにコメントが入力されたことを通知するために用いられる（ただし、他のユーザに通知する必要がない場合には、宛先の入力を省略してもよい）。複数のユーザのグループを宛先に指定することも可能である。ユーザが、コメントを入力するための領域４２３にコメントを入力し、保存ボタン４２４を選択すると、ユーザによって入力されたコメントがコメント記憶部１６０に記憶される。これにより、ユーザによって入力されたコメントが保存される。
【００４４】
なお、メッセージを入力するための画面もまたコメントを入力するための画面と同様に設計されることが可能である（ただし、メッセージを入力するための画面には、コメントを入力するための画面の保存ボタン４２４に代えて「送信ボタン」が含まれる。あるいは、メッセージを入力するための画面には、保存ボタン４２４とは別に「送信ボタン」が含まれるようにしてもよい）。
【００４５】
図４Ｃは、端末装置３００に表示される画面４３０の一例を示す。画面４３０は、図３のステップＳ５０において表示される画面の一例である。画面４３０は、図４Ｂに示されるウインドウ４２０においてユーザが保存ボタン４２４を選択したことに応答して表示される。「コメント（１）」は、例えば、メッセージを受信したユーザによって入力されたものである。画面４３０では、「メッセージ（１）」の列とは異なる列に「コメント（１）」が表示される。「メッセージ（１）」と「コメント（１）」との間の矢印は、時系列の順番を示す。すなわち、この矢印は、「メッセージ（１）」が受信された後に「コメント（１）」が保存されたという時間的な前後関係を示す。画面４３０において、ユーザがコメント追加ボタン４１２を選択することによって、新たなコメントを追加するための処理が開始される。
【００４６】
図４Ｄは、端末装置３００に表示される画面４４０の一例を示す。画面４４０は、図３のステップＳ５０において表示される画面の一例である。画面４４０は、図４Ｃに示される画面４３０に対して新たなコメントを追加するための処理を行うことにより、「コメント（２）」が追加された状態を示す。「コメント（２）」は、例えば、メッセージを受信したユーザ以外のユーザ（例えば、Ａさん）によって入力されたものである。画面４４０では、「コメント（１）」の列と同じ列に「コメント（２）」が表示される。「コメント（１）」と「コメント（２）」との間の矢印は、時系列の順番を示す。すなわち、この矢印は、「コメント（１）」が保存された後に「コメント（２）」が保存されたという時間的な前後関係を示す。画面４４０において、ユーザがコメント追加ボタン４１２を選択することによって、新たなコメントを追加するための処理が開始される。
【００４７】
同様に、図４Ｅは、端末装置３００に表示される画面４５０の一例を示す。画面４５０は、図４Ｄに示される画面４４０に対して新たなコメントを追加するための処理を行うことにより、「コメント（３）」が追加された状態を示す。「コメント（３）」は、例えば、メッセージを受信したユーザ以外のユーザ（例えば、Ｂさん）によって入力されたものである。画面４５０では、「コメント（１）」、「コメント（２）」の列と同じ列に「コメント（３）」が表示される。
【００４８】
さらに、同様に、図４Ｆは、端末装置３００に表示される画面４６０の一例を示す。画面４６０は、図４Ｅに示される画面４５０に対して新たなコメントを追加するための処理を行うことにより、「コメント（４）」が追加された状態を示す。「コメント（４）」は、例えば、メッセージを受信したユーザによって入力されたものである。画面４６０では、「コメント（１）」、「コメント（２）」、「コメント（３）」の列と同じ列に「コメント（４）」が表示される。
【００４９】
図４Ｇは、端末装置３００に表示される画面４７０の一例を示す。画面４７０は、図３のステップＳ８０において表示される画面の一例である。画面４７０は、図４Ｆに示される画面４６０に対して新たなメッセージを追加するための処理を行うことにより、「メッセージ（２）」が追加された状態を示す。「メッセージ（２）」は、例えば、メッセージを受信したユーザによって入力されたものである。画面４７０では、「メッセージ（１）」の列と同じ列に「メッセージ（２）」が表示される。「コメント（４）」と「メッセージ（２）」との間の矢印は、時系列の順番を示す。すなわち、この矢印は、「コメント（４）」が保存された後に「メッセージ（２）」が送信されたという時間的な前後関係を示す。
【００５０】
図４Ａ〜図４Ｇに示される実施形態は、例えば、組織Ｘ（例えば、会社Ｘ）にメッセージ通信システム１０が導入されている場合において、顧客からメッセージを受信した組織Ｘに所属するユーザが、同じ組織Ｘに所属するＡさんやＢさんに相談しながら、その顧客に対する応答メッセージを作成し送信するような状況において有用である。受信されたメッセージに関連する組織Ｘの内部での相談事をコメントのやりとりで行うことにより、組織Ｘの内部での相談事が組織Ｘの外部に誤って出ていくことを確実に防止することができる。組織Ｘに所属するユーザが入力したコメントは、メッセージ通信システム１０の内部においてのみ（すなわち、組織Ｘに所属するユーザによってのみ）参照可能であるからである。組織Ｘに所属するユーザのみがコメントを入力することを可能にし、かつ、組織Ｘに所属するユーザのみが入力されたコメントを参照することを可能にする手段の実現方法の一例は、（社外からアクセスすることが不可能である）社内掲示板を利用するなどの実現方法である。
【００５１】
図４Ａ〜図４Ｇに示される実施形態では、「メッセージ（１）」、「メッセージ（２）」の列と「コメント（１）」、「コメント（２）」、「コメント（３）」、「コメント（４）」の列とが明確に分けて表示される。これにより、メッセージおよびコメントの視認性を向上させることが可能である。その結果、ユーザは、メッセージおよびコメントを区別して容易に認識することができるというメリットがある。さらに、「メッセージ（１）」、「メッセージ（２）」の列の背景色と「コメント（１）」、「コメント（２）」、「コメント（３）」、「コメント（４）」の列の背景色とが異なるようにすることにより、ユーザは、メッセージおよびコメントのそれぞれの機能に関しても明確に区別して認識することができるというメリットがある。
【００５２】
図５Ａは、図４Ｂに示されるウインドウ４２０を代替するための入力フレーム５２０の一例を示す。図５Ａに示される例では、図４Ｂに示されるウインドウ４２０の代わりに、入力フレーム５２０が用いられる。入力フレーム５２０は、コメントの入力が完了した際に「コメント（１）」が表示されることになる位置に配置される。入力フレーム５２０は、宛先を入力するための領域４２２とコメントを入力するための領域４２３と保存ボタン４２４とキャンセルボタン４２５とを含む。入力フレーム５２０に含まれる構成要素の機能は、ウインドウ４２０に含まれる機能と同一である。従って、同一の参照番号を付しその説明を省略する。
【００５３】
図５Ｂは、図４Ｃに示される画面４３０における「メッセージ（１）」、「コメント（１）」の代替的な配置の一例を示す。図４Ｃに示される例では、「メッセージ（１）」と「コメント（１）」とは、横方向に並んで（同じ高さ位置に）表示されている。これに対し、図５Ｂに示される例では、「メッセージ（１）」と「コメント（１）」とは、「メッセージ（１）」の位置よりも「コメント（１）」の位置を下げて（異なる高さ位置に）表示されている。図４Ｃに示される表示は、メッセージ（１）の内容と比較的関連性が高いコメント（１）を表示したい場合（例えば、メッセージ（１）としての英語の原文の横に、コメント（１）としての日本語の翻訳文を並べて表示したい場合）などに便利である。図５Ｂに示される表示は、メッセージ（１）の内容と比較的関連性が低いコメント（１）を入力した場合などに便利である。図４Ｃに示される表示と図５Ｂに示される表示とは、ユーザの好みによって切り替え可能であることが好ましい。
【００５４】
図５Ｃは、図４Ｇに示される画面４７０の代替的な画面４７０’の一例を示す。図５Ｃに示される例では、「メッセージ（１）」、「メッセージ（２）」と「コメント（１）」、「コメント（２）」、「コメント（３）」、「コメント（４）」とが完全に分離されない態様で表示されている。このように、「メッセージの列」と「コメントの列」とが完全に分離されない態様で表示されるようにしてもよい。このような表示は、例えば、画面の面積が小さいスマートフォンなどに表示する場合に有用である。なお、画面の面積が小さいために、メッセージ（１）の内容と比較的関連性が高いコメント（１）をメッセージ（１）の位置よりも下げて（異なる高さ位置に）表示せざるを得ない場合には、時系列の順番を示すもの（例えば、矢印など）の属性（例えば、色、太さなど）を変えることによってそれを表すようにしてもよい。
【００５５】
なお、図４Ａ〜図４Ｇに示される実施の形態では、「メッセージの列」を画面の左側、「コメントの列」を画面の右側に表示する例を示したが、本発明はこれに限定されない。「メッセージの列」および「コメントの列」の画面上での相対的な位置関係は任意の位置関係であり得る。例えば、「メッセージの列」を画面の右側、「コメントの列」を画面の左側に表示してもよいし、「メッセージの列」を画面の上側、「コメントの列」を画面の下側に表示してもよい（その逆でもよい）。また、図５Ｃに示される実施の形態のように、「メッセージの列」と「コメントの列」とが完全に分離されない態様で表示することもまた本発明の範囲内である。
【００５６】
本願明細書では、「メッセージの列」とは、メッセージが「所定の方向」に沿って並んでいるさまをいうと定義する。本願明細書でいう「列」とは、数学において定義される行列（マトリックス）の「行」または「列」のいずれにも相当し得るものである。すなわち、メッセージが並ぶ「所定の方向」は、特定の方向に限定されない。その「所定の方向」は、任意の方向であり得る。例えば、その「所定の方向」は、画面の上側から下側に向かう方向でもよいし（その逆でもよい）、画面の左側から右側に向かう方向でもよいし（その逆でもよい）、画面を斜め方向に横切る方向でもよい。「コメントの列」の定義についても同様である。
【００５７】
さらに、図４Ａ〜図４Ｇに示される実施形態では、「メッセージ（１）」、「コメント（１）」、「コメント（２）」、「コメント（３）」、「コメント（４）」、「メッセージ（２）」の時系列の順番が矢印で示されている。これにより、メッセージおよびコメントの時系列の順番の視認性を向上させることが可能である。その結果、ユーザは、メッセージおよびコメントの時系列の順番を容易に認識することができるというメリットがある。なお、矢印以外の記号や何らかのリンクを用いてメッセージおよびコメントの時系列の順番を示すようにしてもよい。
【００５８】
さらに、図４Ａ〜図４Ｇに示される実施の形態では、「メッセージ」および「コメント」を二列で表示する例を説明したが、本発明はこれに限定されない。「メッセージ」および「コメント」を三列以上の列で表示することも本発明の範囲内である。
【００５９】
さらに、図４Ａ〜図４Ｇに示される実施の形態では、１つの画面内に「メッセージ追加ボタン４１１」、「コメント追加ボタン４１２」が設けられていたが、本発明はこれに限定されない。１つの画面内に１つの「追加ボタン」を設けるようにしてもよい。この場合、例えば、「メッセージの列」に対応する領域がマウスでクリックされた後に「追加ボタン」が選択されると、メッセージ追加ボタン４１１が選択されたときと同様の動作を行うようにし、「コメントの列」に対応する領域がマウスでクリックされた後に「追加ボタン」が選択されると、コメント追加ボタン４１２が選択されたときと同様の動作を行うようにしてもよい。あるいは、「追加ボタン」が選択されると、選択可能な「メッセージ追加ボタン４１１」、「コメント追加ボタン４１２」が表示されるようにしてもよい。
【００６０】
さらに、図４Ａ〜図４Ｇに示される実施形態では、メッセージに少なくとも１つのコメントが関連付けられる例を説明したが、メッセージが存在するが、コメントが存在しない場合もあり得る。この場合には、メッセージのみが表示されることになる。また、メッセージが存在せず、コメントのみが存在する場合もあり得る。この場合には、コメントのみが表示されることになる。また、メッセージおよびコメントが存在するが、そのコメントがメッセージに関連付けられていない場合もあり得る。この場合には、そのようなコメントは、メッセージに関連付けられていない態様で表示されることになる。
【００６１】
図６は、端末装置３００に表示される画面６２０の一例を示す。画面６２０は、図３のステップＳ５０において表示される画面の一例である。画面６２０は、図４Ｃに示される画面４３０において「コメント（１）」に対して更なるコメントを追加するための処理を行うことにより、「自分コメント」が追加された状態を示す。「コメント（１）」に対して更なるコメントを追加するための処理は、例えば、ユーザが更なるコメント追加ボタン４１３を選択したことに応答して実行される。ここで、「自分コメント」とは、コメントの一種であるが、そのコメントを書き込んだユーザ自身によってのみ参照可能であるものをいう。画面６２０では、「メッセージ（１）」の列とは異なる列に「コメント（１）」が表示され、「コメント（１）」の列とは異なる列に「自分コメント」が表示される。画面６２０は、「メッセージ」および「コメント」を三列で表示する画面の一例である。
【００６２】
図７Ａは、端末装置３００に表示される画面７１０の一例を示す。画面７１０は、メッセージを受信したユーザがスレッド一覧からスレッドを選択したことに応答して表示される。ここでは、受信された第１のメッセージである「メッセージ（１）」と受信された第２のメッセージである「メッセージ（３）」とが同一のスレッドに分類されるメッセージであると仮定する。ここで、「スレッド」とは、共通のテーマを意味する用語としてメールなどの通信分野では周知である。また、既知の技術を用いて、受信されたメッセージをいくつかのスレッドに分類することも可能である。ユーザによる手作業によって、受信されたメッセージをいくつかのスレッドに分類することも可能である。画面７１０は、「メッセージ（１）」と「メッセージ（３）」とが同一のスレッドに分類されるメッセージであることを考慮して、「メッセージ（１）」、「コメント（２）」、「コメント（６）」、「コメント（７）」、「メッセージ（８）」という一連のやりとりと、「メッセージ（３）」、「コメント（４）」、「メッセージ（５）」という一連のやりとりとを別個に並べて表示した画面の一例である。
【００６３】
図７Ｂは、端末装置３００に表示される画面７２０の一例を示す。画面７２０は、図７Ａに関連して上述した仮定と同一の仮定の下で、「メッセージ（１）」と「メッセージ（３）」とが同一のスレッドに分類されるメッセージであることを考慮して、「メッセージ（１）」、「コメント（２）」、「コメント（６）」、「コメント（７）」、「メッセージ（８）」という一連のやりとりと、「メッセージ（３）」、「コメント（４）」、「メッセージ（５）」という一連のやりとりとを時系列に基づいて重ね合わせて表示した画面の一例である。ここで、メッセージおよびコメントに付した括弧内の番号は、メッセージおよびコメントの時系列の順番（すなわち、メッセージおよびコメントが作成された時間の順番）を示す。
【００６４】
図７Ｂに示される重ね合わせ表示によれば、図７Ａに示される表示に比べて、メッセージおよびコメントの時系列の順番の視認性を向上させることが可能である。その結果、ユーザは、メッセージおよびコメントの時系列の順番を容易に認識することができるというメリットがある。
【００６５】
なお、スレッド単位でアクセス権限を設定することが可能である。コメント単位でアクセス権限を設定することも可能である。スレッドに対するアクセス権限を有するユーザは、スレッド内のすべてのメッセージやコメントを参照することが可能である。これに対し、コメント単位でアクセス権限が設定された場合には、そのコメントに対するアクセス権限を有するユーザのみが、そのコメントを参照することが可能である。
【００６６】
４．メッセージ通信システムの「外部」、「内部」という概念の拡張
上述した実施形態では、「メッセージの列」を表示するための領域は、メッセージ通信システム１０の「外部」とやりとりした情報を表示するための領域として定義することが可能であり、「コメント」の列を表示するための領域は、メッセージ通信システム１０の「内部」でやりとりした情報を表示するための領域として定義することが可能である。しかしながら、このような「外部」、「内部」という概念は、メッセージ通信システム１０の「外部」、「内部」に限定されない。例えば、組織Ｘ（例えば、会社Ｘ）にメッセージ通信システム１０が導入された場合を仮定する。組織Ｘは、いくつかのグループ（部署）に区分されているのが通例である。例えば、組織Ｘが「カスタマーサポート（以下、「ＣＳ」という）チーム」、「営業部」、「開発部」というグループ（部署）に区分されている場合には、組織Ｘの内部において、「ＣＳチーム」の「外部」、「内部」をさらに定義することが可能である。この場合、「ＣＳチーム」の外部にある「営業部」、「開発部」とやりとりした情報を表示するための領域、「ＣＳチーム」の内部でやりとりした情報を表示するための領域をさらに定義することが可能である。例えば、「営業部」に所属するユーザから「ＣＳチーム」に所属するユーザに届けられたメッセージは、「ＣＳチーム」の外部から受信されたメッセージとみなすことができる。なぜなら、「営業部」は、「ＣＳチーム」の外部に存在するからである。「ＣＳチーム」の外部から受信されたメッセージは、例えば、「ＣＳチーム」の外部とやりとりした情報を表示するための領域である「ＣＳチーム（外部）」というボックス内に表示される。「ＣＳチーム」の外部から受信されたメッセージに対して「ＣＳチーム」の内部においてのみ参照可能な少なくとも１つのコメント（すなわち、「ＣＳチーム」に所属するユーザによってのみ参照可能な少なくとも１つのコメント）を関連付けるようにしてもよい。このように、メッセージ通信システム１０が導入された組織Ｘの所定のグループの外部からメッセージを受信すること、その受信されたメッセージに少なくとも１つのコメントを関連付けること（ここで、その少なくとも１つのコメントのそれぞれは、その所定のグループに所属するユーザによってのみ参照可能である）こともまた本発明の範囲内である。ここで、組織Ｘの「所定のグループ」とは、組織Ｘの全体であってもよいし、組織Ｘの一部（例えば、「ＣＳチーム」または「営業部」または「開発部」）であってもよい。「ＣＳチーム」の内部においてのみ参照可能な少なくとも１つのコメントは、例えば、「ＣＳチーム」の内部でやりとりした情報を表示するための領域である「ＣＳチーム（内部）」というボックス内に表示される。
【００６７】
「ＣＳチーム（外部）」というボックス内に表示されるそれぞれのメッセージは、時系列の順番を示すように表示される。「ＣＳチーム（内部）」というボックス内に表示されるそれぞれのコメントもまた、時系列の順番を示すように表示される。「ＣＳチーム（外部）」というボックスおよび「ＣＳチーム（内部）」というボックスの画面上での相対的な位置関係は、任意の位置関係であり得る。
【００６８】
なお、上述した「ＣＳチーム」の「外部」、「内部」の定義は、上述した「営業部」、「開発部」にも適用可能であり、組織Ｘに含まれる任意のグループに適用可能である。
【００６９】
図８Ａは、端末装置３００に表示される画面８１０の一例を示す。この例では、ＣＳチームの外部とやりとりした情報を表示するための領域である「ＣＳチーム（外部）」というボックス８１１ａ、営業部の外部とやりとりした情報を表示するための領域である「営業部（外部）」というボックス８１２ａ、開発部の外部とやりとりし情報を表示するための領域である「開発部（外部）」というボックス８１３ａが前面に表示され、その他のボックス（すなわち、ＣＳチームの内部でやりとりした情報を表示するための領域である「ＣＳチーム（内部）」というボックス８１１ｂ、営業部の内部でやりとりした情報を表示するための領域である「営業部（内部）」というボックス８１２ｂ、開発部の内部でやりとりした情報を表示するための領域である「開発部（内部）」というボックス８１３ｂ）が後面に表示されている。このように、これらのボックスの少なくとも一部を重ね合わせて表示することにより、「メッセージの列」および「コメントの列」を三次元的に表示することが可能である。
【００７０】
図８Ｂは、端末装置３００に表示される画面８２０の一例を示す。この例では、「ＣＳチーム（外部）」というボックス８２１ａと「ＣＳチーム（内部）」というボックス８２１ｂとが前面に表示されている。例えば、同一のグループ（部署）に関連するボックス８２１ａ、８２１ｂをユーザによる１つの操作（例えば、マウスのボタンの１回のクリック）で前面に表示するようにすることも可能である。
【００７１】
図８Ａに示される画面８１０および図８Ｂに示される画面８２０のそれぞれは、レイヤーに区分された各グループを階層的に表示した画面の一例である。例えば、「ＣＳチーム（外部）」、「営業部（外部）」、「開発部（外部）」の階層を「レイヤー１」の階層として定義し、「ＣＳチーム（内部）」、「営業部（内部）」、「開発部（内部）」の階層を「レイヤー２」の階層として定義することも可能である。あるいは、「ＣＳチーム（外部）」、「ＣＳチーム（内部）」の階層を「レイヤー１」の階層、「営業部（外部）」、「営業部（内部）」の階層を「レイヤー２」の階層、「開発部（外部）」、「開発部（内部）」の階層を「レイヤー３」の階層として定義することも可能である。このように組織Ｘの任意のグループを任意のレイヤーに区分し、そのレイヤーに応じて画面に表示することが可能である。なお、レイヤー単位に、レイヤーの色、配置、アクセス権限などを設定することが可能である。
【００７２】
なお、図８Ａに示される画面８１０および図８Ｂに示される画面８２０のそれぞれは、あくまでも画面の一例である。既知の技術を用いて、画面８１０、８２０を仮想的な画面として、その一部を表示したり、全体を拡大・縮小して表示することも可能である。
【００７３】
図８Ａ、図８Ｂに示される実施形態は、例えば、組織Ｘの外部の顧客からメッセージを受信した「ＣＳチーム」に所属するユーザが、同じ「ＣＳチーム」に所属するユーザに相談しながら、および／または、「営業部」に所属するユーザや「開発部」に所属するユーザに相談しながら、その顧客に対する応答メッセージを作成し送信するような状況において有用である。「ＣＳチーム」の内部での相談事をコメントのやりとりで行うことにより、「ＣＳチーム」の内部での相談事が「ＣＳチーム」の外部に誤って出ていくことを確実に防止することができる。「ＣＳチーム」に所属するユーザが入力したコメントは、「ＣＳチーム」に所属するユーザによってのみ参照可能であるからである。「営業部」の内部での相談事および「開発部」の内部での相談事についても同様である。
【００７４】
さらに、組織Ｘの外部の顧客から受信されたメッセージおよびその顧客に対して送信された応答メッセージを「メッセージ」というボックス内に表示するようにし、「ＣＳチーム」に所属するユーザが「営業部」に所属するユーザまたは「開発部」に所属するユーザから受信したメッセージ、または、「ＣＳチーム」に所属するユーザから「営業部」に所属するユーザまたは「開発部」に所属するユーザに送信したメッセージを「ＣＳチーム（外部）」というボックス内に表示するようにし、「ＣＳチーム」に所属するユーザが入力したコメントを「ＣＳチーム（内部）」というボックス内に表示するようにすることによって、ユーザは、組織Ｘの外部との情報のやりとりと、組織Ｘの内部における、「ＣＳチーム」の外部との情報のやりとりと「ＣＳチーム」の内部での情報のやりとりとを区別して容易に認識することができる。「営業部（外部）」および「営業部（内部）」というボックス、「開発部（外部）」および「開発部（内部）」についても同様である。
【００７５】
あるいは、図８Ａ、図８Ｂに示される実施形態は、「開発部」に所属するユーザからメッセージを受信した「ＣＳチーム」に所属するユーザが、同じ「ＣＳチーム」に所属するユーザに相談しながら、「開発部」に所属するユーザに対する応答メッセージを作成し送信するような状況においても有用である。この状況下では、図１に示されるインターネット２０は必要とされない。すなわち、本発明にとって図１に示されるインターネット２０は必須でないといえる。従って、本発明の実施形態の１つとして、メッセージ通信システム１０を社内掲示板のようなシステムとして用いることも可能である。「開発部」に所属するユーザから受信されたメッセージおよび「開発部」に所属するユーザに対して送信された応答メッセージを「ＣＳチーム（外部）」というボックス内に表示するようにし、「ＣＳチーム」に所属するユーザが入力したコメントを「ＣＳチーム（内部）」というボックス内に表示するようにすることによって、ユーザは、「ＣＳチーム」の外部との情報のやりとりと「ＣＳチーム」の内部での情報のやりとりとを区別して容易に認識することができる。
【００７６】
あるいは、図８Ａ、図８Ｂに示される実施形態は、「ＣＳチーム」に所属するユーザがメッセージを「営業部」に所属するユーザに送信して、「営業部」に所属するユーザから応答メッセージを受信するような状況においても有用である。この状況下では、図１に示されるインターネット２０は必要とされない。すなわち、本発明にとって図１に示されるインターネット２０は必須でないといえる。従って、本発明の実施形態の１つとして、メッセージ通信システム１０を社内掲示板のようなシステムとして用いることも可能である。「営業部」に所属するユーザに送信されたメッセージおよび「営業部」に所属するユーザから受信された応答メッセージを「ＣＳチーム（外部）」というボックス内に表示するようにすることによって、ユーザは、「ＣＳチーム」の外部との情報のやりとりを容易に認識することができる。
【００７７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００７８】
本発明は、メッセージおよびコメントの視認性を向上させるとともに、メッセージおよびコメントの時系列の順番の視認性を向上させることが可能なメッセージ通信システムおよびそのシステムにおいて実行される方法およびプログラム等を提供するものとして有用である。
【符号の説明】
【００７９】
１０  メッセージ通信システム
２０  インターネット
３０  端末装置
１００  メッセージサーバ装置
１１０  通信制御部
１２０  通信制御部
１３０  プロセッサ部
１４０  メモリ部
１５０  メッセージ記憶部
１６０  コメント記憶部
１９０  バス
２００  イントラネット
３００  端末装置
【図１】
2017090990.tif 000003
【図２】
2017090990.tif 000004
【図３】
2017090990.tif 000005
【図４Ａ】
2017090990.tif 000006
【図４Ｂ】
2017090990.tif 000007
【図４Ｃ】
2017090990.tif 000008
【図４Ｄ】
2017090990.tif 000009
【図４Ｅ】
2017090990.tif 000010
【図４Ｆ】
2017090990.tif 000011
【図４Ｇ】
2017090990.tif 000012
【図５Ａ】
2017090990.tif 000013
【図５Ｂ】
2017090990.tif 000014
【図５Ｃ】
2017090990.tif 000015
【図６】
2017090990.tif 000016
【図７Ａ】
2017090990.tif 000017
【図７Ｂ】
2017090990.tif 000018
【図８Ａ】
2017090990.tif 000019
【図８Ｂ】
2017090990.tif 000020